(57)【特許請求の範囲】
【請求項１】
機器脚部の取付孔に挿通される取付ボルトと、上部にはナット部を、その下部外周にフランジ状テーブル部をそれぞれ形成した回転台を備え、回転台の中心を通る軸芯に雌ねじ部を形成して上記取付ボルトをねじ込んで適宜手段で固定し、さらに筒状のフレーム部材に回転台を収納して、フレーム部材の内周に設けた支持リング上に、上記テーブル部の下面に取り付けたベアリングを介してテーブル部を回転可能に搭載し、上記取付ボルトの下部に、上面にベアリングを介在させた止めリングを固定してテーブル部との間で支持リングを挟み付けるとともに、フレーム部材の下部に防振材を装着したことを特徴とする設置台。
【請求項２】
機器脚部の取付孔に挿通される取付ボルトと、上部にはナット部を、下部には雄ネジ部を、その間の外周にフランジ状テーブル部をそれぞれ形成した回転台を備え、回転台の中心を通る軸芯に雌ねじ部を形成して上記取付ボルトをねじ込んで適宜手段で固定し、また筒状のフレーム部材に回転台を収納して、フレーム部材の内周に設けた支持リング上に、上記テーブル部の下部に取り付けたベアリングを介してテーブル部を回転可能に搭載し、上記回転台の上記雄ネジ部に、上部にベアリングを介在させた止めリングを固定してテーブル部との間で支持リングを挟み付けるとともに、フレーム部材の下部に防振材を装着したことを特徴とする設置台。
【請求項３】
止めリングを固定した回転台を、ナット部に工具を係合して回すことにより、取付ボルトを回転させるようにしてなる請求項１または２に記載の設置台。
【請求項４】
上部にはナット部を、その下部外周にフランジ状テーブル部をそれぞれ形成した回転台が、同一素材で一体的に形成されていることを特徴とする請求項１または２に記載の設置台。
【発明の詳細な説明】
【０００１】
【発明の属する技術分野】
この発明は、例えば種々の精密機械や射出成形機のように水平度を必要とするような機器や、プレス機或いはコンプレッサーなど振動を伴うような機器、半導体製造装置等の脚部に取り付けて高さを調整するために使用される設置台に関する。
【０００２】
【従来の技術】
従来、機器の高さを調整し、機器の水平度を安定化させて床面に設置するとともに、機器自体の振動或いは外部からの振動を緩衝する防振材を備えた設置台は、例えば、実公昭４７−１１３５８号公報、特開平１０−１８４７９０号公報等に示されている。
【０００３】
そして上記従来例は、上部に筒状の雌ネジ部を設けた盤状のフレーム部材と、上記雌ネジ部にはめ込んだ、ハンドル部を有する筒状のジャッキ部材と、上記ジャッキ部材に取り付けた機器等の脚を取り付ける取付ボルトとで構成されている。
【０００４】
この設置台を取扱う際には、機器脚部の高さを調整する場合は、先ず取付ボルトを緩め、ハンドル部を回転させることによってジャッキ部材をフレーム部材に対して回転させる。このハンドル部の回転によってフレーム部材に対してジャッキ部材の螺合位置が上下し、機器脚部の高さを調整する。調整後、設置台は取付ボルトを締め付けて機器脚部に固定し、床面に設置される。このようにして設置台は、機器脚部に容易に取り付けられ、機器類を床面に対して水平に安定して設置することができる。
【０００５】
【発明が解決しようとする課題】
しかしながら、ジャッキ部材に突設したハンドル部が設置台の外部に突出しているために機器類を設置しようとする場合において、設置スペースの隅角部等に引っ掛かったり、ハンドル部が回せなかったりするという問題点があった。
【０００６】
また、ジャッキ部材に突設したハンドル部は一般に鋳物で形成されており、そのジャッキ部材のハンドル部に、ハンドル部の延伸基部から半径方向に突状に延伸した延伸端部に架けて曲げモーメントが作用するばかりか衝撃が加わるとなると、ハンドル部の延伸基部から折れることがあった。
【０００７】
この発明の目的は、機器脚部の高さ調整に際し、作業上の安全性や作業の効率化を図った設置台を提供することである。
【０００８】
【課題を解決するための手段】
この発明の設置台は前記目的を達成するためになされたもので、機器脚部の取付孔に挿通される取付ボルトと、上部にはナット部を、その下部外周にフランジ状テーブル部をそれぞれ形成した回転台を備え、回転台の中心を通る軸芯に雌ねじ部を形成して上記取付ボルトをねじ込んで適宜手段で固定し、さらに筒状のフレーム部材に回転台を収納して、フレーム部材の内周に設けた支持リング上に、上記テーブル部の下面に取り付けたベアリングを介してテーブル部を回転可能に搭載し、上記取付ボルトの下部に、上面にベアリングを介在させた止めリングを固定してテーブル部との間で支持リングを挟み付けるとともに、フレーム部材の下部に防振材を装着してなることを特徴とする設置台。
【０００９】
この発明の設置台はまた、機器脚部の取付孔に挿通される取付ボルトと、上部にはナット部を、下部には雄ネジ部を、その間の外周にフランジ状テーブル部をそれぞれ形成した回転台を備え、回転台の中心を通る軸芯に雌ねじ部を形成して上記取付ボルトをねじ込んで適宜手段で固定し、また筒状のフレーム部材に回転台を収納して、フレーム部材の内周に設けた支持リング上に、上記テーブル部の下部に取り付けたベアリングを介してテーブル部を回転可能に搭載し、上記回転部の上記雄ネジ部に、上部にベアリングを介在させた止めリングを固定してテーブル部との間で支持リングを挟み付けるとともに、フレーム部材の下部に防振材を装着してなることをも特徴とするものである。
【００１０】
この発明の設置台は、上記止めリングを固定した回転台を、ナット部に工具を係合して回すことにより、取付ボルトを回転させるようにしたことをも特徴とするものである。
【００１１】
この発明の設置台は、上部にはナット部を、その下部外周にフランジ状テーブル部をそれぞれ形成した上記回転台が、同一素材で一体的に形成されていることをも特徴とするものである。
【００１２】
この発明の設置台によれば、設置台を機器類の脚部と床面の間に差し入れて置かれる。次いで、取付ボルトを機器類の脚部の取付孔に挿通し、取付孔の雌ネジに取付ボルトを、これと一体化した回転台のナット部を回してねじ込む。回転台はフレーム部材のテーブル部上を昇降しないでただ回転するだけであり、取付ボルトの回転に応じて機器類の脚部は上方もしくは下方に移動する。このように機器類の脚部の高さ調整にあっては、取付ボルトを機器類の脚部の雌ねじ孔に一方向にねじ込んでゆくことで、簡単に昇降させることができる。
【００１３】
【発明の実施の形態】
以下、この発明の設置台の好ましい実施の形態について、添付図面を参照して詳細に説明する。
図１は、この発明の設置台の筒状のフレーム部材部分を示す概略断面図、図２は取付ボルト部分を示す概略断面図、図３はこの発明の設置台の他の実施例を示す概略断面図である。
【００１４】
この発明の設置台１０は、図１に示すように、機器類の脚部の取付孔に挿通される取付ボルト１１と、上部にはナット部１３を、下部には雄ネジ部１４を、その間の外周にフランジ状テーブル部１５をそれぞれ形成した回転台１２を備えている。この回転台１２の中心を通る軸芯には雌ねじ部を形成し、上記取付ボルト１１をねじ込んで後述の適宜手段で固定される。
【００１５】
また上記回転台１２は、外面上部を下向きに広がるように傾斜させた所定の肉厚の筒状のフレーム部材１６内に収納される。そして、フレーム部材１６の内周の適宜高さに設けた支持リング１７上に、上記テーブル部１５の下部外周に取り付けたベアリング１８を介して、テーブル部１５を自由に回転できるよう回転可能に搭載している。また、上記回転台１２の上記雄ネジ部１４には、上部外周にベアリング２０を介在させた止めリング１９を固定して、テーブル部１５との間で支持リング１７を挟み付けている。２１はフレーム部材１６の下部に装着した防振材である。
【００１６】
以上のように前記設置台１０は、回転台１２の上部ナット部１３から取付ボルト１１がねじ込まれた上で固定されており、下部の雄ネジ部１４には止めリング１９がねじ込まれて固定されている。したがって、回転台１２のナット部１３を回すことにより、回転台１２に固定した取付ボルト１１を回転させることができる。
【００１７】
この発明の設置台１０は、特に上部にはナット部１３、下部には雄ネジ部１４、その間の外周にフランジ状テーブル部１５をそれぞれ形成した回転台１２が、ステンレス素材その他の同一素材で一体的に形成されていることをも特徴としている。
【００１８】
上記筒状のフレーム部材１６の下部に装着した、例えばＮＢＲ等から形成された防振材２１は、上面にリング状のガイド溝２２が形成されており、このリング状のガイド溝２２内にフレーム部材１６の下端をはめ込むようになっている。
【００１９】
上記取付ボルト１１は、一般的に右ねじが刻設されており、例えば機器類に横向きに設けた脚部の取付孔に挿入し、上記ねじ部にナットとワッシャをはめ込み、ワッシャを介してナットを締め付けることによって機器類の脚部の上面にナットを取着して固定される。
【００２０】
また、上記取付ボルト１１は、機器類に縦方向に設けた脚部の取付孔の雌ネジ部には直接ねじ込まれる。この場合には、上記ナットおよびワッシャは不要である。
【００２１】
上記設置台１０は、上述のように回転台１２の上部ナット部１３を回すことにより、回転台１２をベアリング１８，２０を介して自由に回転させることができるので、回転台１２に固定した取付ボルト１１も自由に回転させることができる。したがって、取付ボルト１１を機器類に設けた脚部の取付孔の雌ネジ部にはめ込み、レンチ等でナット部１３を回して取付ボルト１１を回転させることにより、機器類の高さを迅速に調整することができる。すなわち、種々の機器類の４隅、あるいはその他の適所に設けた脚部にこの発明の設置台１０を取り付け、レベル等を見ながら適宜その高さを調整することにより、機器類の高さを調整すればよい。高さ位置の固定は、機器類の脚部の下面からナットを締め付けることにより簡単に行なうことができる。
【００２２】
この発明の設置台の他の実施例を示す図３において、設置台３０は機器類の脚部の取付孔に挿通される取付ボルト３１と、上部にはナット部３３およびその下部外周に形成したフランジ状テーブル部３４を備えた回転台３２を有している。この回転台３２の中心を通る軸芯には雌ねじ部を形成し、上記取付ボルト３１をねじ込んで後述の適宜手段で固定される。
【００２３】
また上記回転台３２は、外面上部を下向きに広がるように傾斜させた所定の肉厚の筒状のフレーム部材３６内に収納される。そして、フレーム部材３６の内周の適宜高さに設けた円弧状をなす支持リング３７上に、上記テーブル部３４の下面に取り付けたベアリング３８を介して、テーブル部３４を自由に回転できるよう回転可能に搭載している。また、上記取付ボルト３１の下部には、上部にベアリング４０を介在させた止めリング３９を固定して、テーブル部３４との間で支持リング３７を挟み付けている。４１はフレーム部材３６の下部に装着した防振材である。
【００２４】
以上のように前記設置台３０は、回転台３２の上部ナット部３３から取付ボルト３１がねじ込まれた上で固定されており、支持リング３７を挟んでその下部には止めリング３９がねじ込まれて固定されている。したがって、回転台３２のナット部３３を回すことにより、回転台３２に固定した取付ボルト３１を回転させることができる。その際、円弧状の支持リング３７上でフランジ状テーブル部３４は水平にのみ回転するだけでなく円弧状の支持リング３７上面に沿っても揺動するので、取付ボルト３１は水平回転およびピボット状運動の両方を兼ねた動きが可能である。
【００２５】
この実施例の設置台３０は、特にナット部３３とその下部外周にフランジ状テーブル部３４をそれぞれ形成した回転台３２が、ステンレス素材その他の同一素材で一体的に形成されていることを特徴としている。
【００２６】
上記筒状のフレーム部材３６の下部に装着した、例えばＮＢＲ等から形成された防振材４１は、上面にリング状のガイド溝４２が形成されており、このリング状のガイド溝３２内にフレーム部材３６の下端をはめ込むようになっている。
【００２７】
なお、この発明の設置台１０，３０は上記実施例に述べた構造に限らず、この発明の要旨を変更しない限り、適宜その設計を変更して用いることが可能である。
【００２８】
【発明の効果】
この発明の設置台によれば、設置台を機器類の脚部と床面の間に差し入れて置かれる。次いで、取付ボルトを機器類の脚部の取付孔に挿通し、取付孔の雌ネジに取付ボルトを、これと一体化した回転台のナット部を回してねじ込む。回転台はフレーム部材のテーブル部上を昇降しないでただ回転するだけであり、取付ボルトの回転に応じて機器類の脚部は上方もしくは下方に移動する。このように機器類の脚部の高さ調整にあっては、取付ボルトを機器類の脚部の雌ねじ孔に一方向にねじ込んでゆくことで、簡単に昇降させることができる。
【図面の簡単な説明】
【図１】この発明の設置台の筒状のフレーム部材部分を示す概略断面図である。
【図２】取付ボルト部分を示す概略断面図である。
【図３】この発明の設置台の他の実施例を示す概略断面図である。
【符号の説明】
１０  設置台
１１  取付ボルト
１２  回転台
１３  ナット部
１４  雄ネジ部
１５  テーブル部
１６  フレーム部材
１７  支持リング
１８  ベアリング
１９  止めリング
２０  ベアリング
２１  防振材
２２  ガイド溝
３０  設置台
３１  取付ボルト
３２  回転台
３３  ナット部
３４  フランジ状テーブル部
３６  フレーム部材
３７  支持リング
３８  ベアリング
３９  止めリング
４０  ベアリング
４１  防振材
４２  ガイド溝
【図１】
0003873187.tif 000002
【図２】
0003873187.tif 000003
【図３】
0003873187.tif 000004